(57)【要約】【課題】剛性に優れた水栓用カバーを提供する。【解決手段】水栓の先端側に取り付けられる水栓ヘッド１０であって、周壁に吐水口２１を有する筒状のカバー部材２０と、カバー部材２０の内部に収容されて吐水口２１に連通する吐水部３３、３４を有する通水路本体３０と、カバー部材２０の内部に設けられて吐水部３３、３４への吐水を切り替え操作する操作部材４０を備え、操作部材４０は、自身の少なくとも一部をカバー部材２０の先端側開口から露出させる態様でカバー部材２０の軸方向に移動可能に設けられ、カバー部材２０の内部には、操作部材４０とともにカバー部材２０の軸方向に移動するガイド部材７０が設けられ、ガイド部材７０には、操作部材４０の外面からカバー部材２０の径方向外方に突出する突起部７２が形成されている。【選択図】図２
2020045657.tif 000002
【特許請求の範囲】
【請求項１】
水栓の先端側に取り付けられる水栓ヘッドであって、
周壁に吐水口を有する筒状のカバー部材と、前記カバー部材の内部に収容されて前記吐水口に連通する吐水部を有する通水路本体と、前記カバー部材の内部に設けられて前記吐水部への吐水を切り替え操作する操作部材を備え、
前記操作部材は、自身の少なくとも一部を前記カバー部材の先端側開口から露出させる態様で同カバー部材の軸方向に移動可能に設けられ、
前記カバー部材の内部には、前記操作部材とともに前記カバー部材の軸方向に移動するガイド部材が設けられ、
前記ガイド部材には、前記操作部材の外面から前記カバー部材の径方向外方に突出する突起部が形成されていることを特徴とする水栓ヘッド。
【請求項２】
前記突起部は、先細状に形成されていることを特徴とする請求項１に記載の水栓ヘッド。
【請求項３】
前記ガイド部材は、前記操作部材と別体に形成されていることを特徴とする請求項１又は２に記載の水栓ヘッド。
【請求項４】
前記操作部材は、自身の少なくとも一部を前記カバー部材の先端側開口から露出させる態様で設けられて前記吐水部への吐水を切り替え操作する押しボタンと、前記押しボタンの基端側に設けられて前記吐水部への吐水を切り替えるスライド部材を備え、
前記ガイド部材は、前記押しボタンの基端縁に当接する態様で同押しボタンに組み付けられていることを特徴とする請求項３に記載の水栓ヘッド。
【発明の詳細な説明】
【技術分野】
【０００１】
本発明は、水栓ヘッドに関する。
【背景技術】
【０００２】
特許文献１には、先端側にシャワーヘッドが取り付けられた水栓に係る発明が記載されている。シャワーヘッドは、周壁に吐水口を有する筒状のカバー部材の内部に、２つの吐水部を有する通水路本体が収容されており、カバー部材の先端には２つの吐水部を切り替え操作するための操作部材としてのプッシュボタンが設けられている。そして、操作部材の操作により、２つの吐水部のいずれかが選択されて直流水或いはシャワー水に切り替え可能に構成されている。
【先行技術文献】
【特許文献】
【０００３】
【特許文献１】特開２００８−１３３７１２号公報
【発明の概要】
【発明が解決しようとする課題】
【０００４】
こうした操作部材による操作をスムーズに行うために、通常操作部材の外周面とカバー部材の内周面との間には所定のクリアランスが設けられている。しかし、長期にわたる使用によって操作部材の外周面がカバー部材の内周面と干渉して傷付いてしまう場合がある。特にメッキ加工を施した水栓では、操作部材の外周面のメッキが剥がれて見栄えが悪くなってしまう場合がある。本発明はこうした実情に鑑みてなされたものであり、その目的は、操作部材とカバー部材との干渉を抑制することのできる水栓ヘッドを提供することである。
【課題を解決するための手段】
【０００５】
上記課題を解決するため、本発明の水栓ヘッドは、水栓の先端側に取り付けられる水栓ヘッドであって、周壁に吐水口を有する筒状のカバー部材と、前記カバー部材の内部に収容されて前記吐水口に連通する吐水部を有する通水路本体と、前記カバー部材の内部に設けられて前記吐水部への吐水を切り替え操作する操作部材を備え、前記操作部材は、自身の一部を前記カバー部材の先端側開口から露出させる態様で同カバー部材の軸方向に移動可能に設けられ、前記カバー部材の内部には、前記操作部材とともに前記カバー部材の軸方向に移動するガイド部材が設けられ、前記ガイド部材には、前記操作部材の外面から前記カバー部材の径方向外方に突出する突起部が形成されている。
【０００６】
上記構成によれば、ガイド部材に形成された突起部は、その先端が、操作部材の外面よりカバー部材の内周面に近接した位置に設けられており、カバー部材の内周面に当接しているか、或いは、カバー部材の内周面のごく近傍に位置している。そのため、操作部材をカバー部材の軸方向へ操作すると、突起部がカバー部材の内周面に当接することによって操作部材の外面とカバー部材の内周面との干渉が抑制される。これにより、操作部材の外面に対する傷付きが抑制される。なお、操作部材がカバー部材の先端側開口から露出させる態様とは、操作部材が、カバー部材の先端側開口から突出した状態で露出している場合だけでなく、先端側開口から突出しない状態で露出している場合も含む。
【０００７】
上記構成において、前記突起部は、先細状に形成されていることが好ましい。
上記構成によれば、突起部は、先細状に形成されていない場合に比べて、突起部とカバー部材の内周面との当接面積が少なくなる。そのため、操作部材を操作する際、操作部材とともに移動するガイド部材の摺動抵抗が軽減し、操作部材の操作性を良好にすることができる。なお、先細状とは、突起部における縦断面のいずれかが先細状となっており、突起部の基端側の横断面より先端側の横断面の面積が小さくなっているものを言う。
【０００８】
上記構成において、前記ガイド部材は、前記操作部材と別体に形成されていることが好ましい。
上記構成によれば、内周面形状の異なるカバー部材に対して共通の操作部材を使用することができる。汎用性が高く、コスト的にも有利な水栓ヘッドが得られる。
【０００９】
上記構成において、前記操作部材は、自身の少なくとも一部を前記カバー部材の先端側開口から露出させる態様で設けられて前記吐水部への吐水を切り替え操作する押しボタンと、前記押しボタンの基端側に設けられて前記吐水部への吐水を切り替えるスライド部材を備え、前記ガイド部材は、前記押しボタンの基端縁に当接する態様で同押しボタンに組み付けられていることが好ましい。
【００１０】
上記構成によれば、操作部材の操作は、カバー部材の先端側開口から露出する押しボタンの押圧により行うことができる。そして、ガイド部材が押しボタンの基端縁に当接する態様で組み付けられているため、押しボタンからの押圧力が伝わりやすく押しボタンの移動がスムーズとなる。押しボタンとカバー部材との干渉を好適に抑制することができる。
【発明の効果】
【００１１】
本発明によれば、操作部材とカバー部材との干渉を抑制することのできる水栓ヘッドが得られる。
【図面の簡単な説明】
【００１２】
【図１】本実施形態の水栓ヘッドが取り付けられた水栓の斜視図。
【図２】水栓ヘッドの側断面図。
【図３】水栓ヘッド内部の分解斜視図。
【図４】ガイド部材を後方側から見た正面図。
【図５】図２のＶ‐Ｖ線での断面図。
【発明を実施するための形態】
【００１３】
以下、本発明を具体化した一実施形態について説明する。
図１に示すように、本実施形態の水栓ヘッド１０は、キッチンや洗面台等の流し台１１の上面に設置される水栓１２の先端に設けられている。流し台１１の上面で水栓１２に隣接する位置には図示しない操作部が設置されており、操作部の操作により、水栓ヘッド１０からの湯水の水量調整や温度調整を行うことができる。なお、本実施形態における水栓ヘッド１０の先端及び基端は、流し台１１側を基端側として言うものとする。また、説明の便宜上、水栓ヘッド１０の上下、左右、前後方向を図１に示す方向として規定する。
【００１４】
図２に示すように、水栓ヘッド１０は、カバー部材２０と、カバー部材２０の内部に設けられた通水路本体３０、操作部材４０及びガイド部材７０を有している。
図２及び図５に示すように、カバー部材２０は上面が略平板状の略半円筒形状に形成されている。また、カバー部材２０の前寄りの下側周壁には下方に開口する吐水口２１が形成されている。カバー部材２０は樹脂製で表面全体にメッキ加工が施されている。
【００１５】
図２に示すように、通水路本体３０はカバー部材２０内部に位置決め状態で組み付けられている。通水路本体３０の内部には、通水路３１を通過した湯水が供給される通水室３２が形成されており、通水室３２の内部には、カバー部材２０の吐水口２１に連通する２つの吐水部３３、３４が切り替え可能に設けられている。吐水部３３、３４は、直流水或いはシャワー水のいずれかに切り替えて吐水するために設けられている。通水室３２の前側には、後に説明する付勢部材８０を収容するばね収容部３５が形成されている。図３に示すように、ばね収容部３５には、通水路本体３０に対して操作部材４０を位置決めするためのハートカム機構を構成するカムピン３７が組み付けられている。また、通水路本体３０の左右両側面には、後に説明するスライド部材５０の被係合溝５８に係合する係合部３６が形成されている。
【００１６】
図１及び図２に示すように、操作部材４０は、吐水部３３、３４を切り替え操作するために、自身の一部をカバー部材２０の先端開口２２から露出する態様でカバー部材２０の内部に設けられている。操作部材４０は、通水路本体３０に組み付けられて、カバー部材２０内部でカバー部材２０の軸方向に移動可能に設けられている。操作部材４０は、カバー部材２０の先端開口２２からの突出量が大きい第１位置（図２に示す状態）と、先端開口２２からの突出量が小さい第２位置との間を移動可能とされ、第１位置或いは第２位置で通水路本体３０に対して位置決め状態とされる。第１位置では、吐水部３４が選択されて直流水が吐水され、第２位置では、吐水部３３が選択されてシャワー水が吐水される。
【００１７】
図２及び図３に示すように、操作部材４０は、通水路本体３０の前側で通水路本体３０に対して相対移動可能に組み付けられたスライド部材５０と、スライド部材５０の前側を覆うように組み付けられた押しボタン６０を有している。スライド部材５０は操作部材４０を第１位置及び第２位置のいずれかで位置決め状態とするための部材であり、押しボタン６０は使用者が押圧操作をするための部材である。
【００１８】
図３に示すように、スライド部材５０は、前側に形成された筒状部５１と、筒状部５１の後端から延びて通水路本体３０の上半部を覆う略半筒形状の半筒状部５２が連設された形状に形成されている。筒状部５１は半筒状部５２より左右方向に小径とされ、筒状部５１と半筒状部５２との境界部分の外面には、筒状部５１から半筒状部５２に向かって左右方向に拡径する当接部５３が形成されている。筒状部５１の上面には係合部５４が形成され、筒状部５１の左右両側面にはそれぞれ係止部５５が形成されている。
【００１９】
図２及び図３に示すように、筒状部５１の内部には先端壁５６から後方へ向かって延びるばね取付部５７が形成され、通水路本体３０のばね収容部３５との間に付勢部材８０が取り付けられている。先端壁５６はカムピン３７とともにハートカム機構を構成しており、カムピン３７と係合する係合部としても機能している。図３に示すように、半筒状部５２の左右両側面にはそれぞれ被係合溝５８が形成されている。スライド部材５０は、通水路本体３０のばね収容部３５を筒状部５１内に挿入させた状態で、被係合溝５８内に係合部３６を係合させることで、通水路本体３０に対して相対移動可能に組み付けられている。
【００２０】
スライド部材５０（操作部材４０）は付勢部材８０によって前方へ付勢されており、操作部材４０が第１位置で位置決めされているとき、スライド部材５０の被係合溝５８に係合された通水路本体３０の係合部３６は、被係合溝５８の後端縁に当接している。操作部材４０を押圧操作すると、被係合溝５８に係合された係合部３６は被係合溝５８内を前方に移動して、操作部材４０は第２位置で位置決めされる。操作部材４０は上記ハートカム機構により第１位置と第２位置との間で交互に位置決めされる。
【００２１】
図２及び図３に示すように、押しボタン６０は、外面形状がカバー部材２０と同形状でやや小径とされ、その前側が板状の押圧部６１で閉塞された略半円有底筒形状に形成されている。そのため、カバー部材２０の内周面と押しボタン６０の外面との間には所定のクリアランスが形成されている。また、押しボタン６０の上下寸法はスライド部材５０の上下寸法より大きく、押しボタン６０の左右寸法はスライド部材５０の左右寸法より大きい。そのため、操作部材４０がカバー部材２０内部に組み付けられた状態では、カバー部材２０のすべての内周面において、押しボタン６０の外面がスライド部材５０の外面よりカバー部材２０の内周面に近接した位置に配置されている。押しボタン６０は樹脂製であり、表面全体にメッキ加工が施されている。
【００２２】
図２に示すように、押しボタン６０の上側の内面には、スライド部材５０の係合部５４が係合する被係合部６２が形成されている。また、押しボタン６０の下側の内面には、スライド部材５０の筒状部５１の下面５９の後端縁に係合する係合部６３が形成されている。係合部５４と被係合部６２との係合、及び下面５９の後端縁と係合部６３との係合により、押しボタン６０はスライド部材５０に対して抜止状態で組み付けられている。この状態で、押しボタン６０の内側面に形成された図示しない被係止凹部に、スライド部材５０の係止部５５が係止されて、押しボタン６０のガタつきが抑制されている。
【００２３】
図３及び図４に示すように、ガイド部材７０は、平面状の外面７１ａを有する略半円形状の環状部７１と、環状部７１の左右両側部から前方に向かって延びる係止部７３と、環状部７１の下部から前方に向かって延びる板状の係止部７４を有している。図２に示すように、ガイド部材７０は、押しボタン６０の後端縁に当接する態様で押しボタン６０に組み付けられている。この状態で、ガイド部材７０の係止部７３は、スライド部材５０の係止部５５とともに押しボタン６０の左右内側面に形成された図示しない被係止凹部に係止されている。また、係止部７４は、押しボタン６０の下側の内面に当接している。また、ガイド部材７０の環状部７１の後端縁は、スライド部材５０の当接部５３に当接している。このように、ガイド部材７０は、押しボタン６０の後端縁とスライド部材５０の当接部５３の間で位置決め状態とされ、係止部７３、７４によってガタつきが抑制されつつ押しボタン６０に組み付けられている。
【００２４】
図４及び図５に示すように、環状部７１の外面形状は、押しボタン６０の外面形状と同形状で僅かに大径に形成されている。環状部７１の外面７１ａには、径方向外方へ突出する左右方向断面が先細状とされた突起部７２が、前後方向に延びるような態様で複数形成されている。突起部７２の突出長は、ガイド部材７０を押しボタン６０に組み付けた状態で、押しボタン６０の外面から突出するような長さに設定されている。
【００２５】
図４に示すように、複数の突起部７２は、ガイド部材７０の径方向断面の中心Ｎを通って上下方向に延びる仮想線（図４に二点鎖線で示す。）に対して対称となる位置に形成されている。また、複数の突起部７２の形成位置は、ガイド部材７０の上面及び下面における仮想線上の位置や、上面における左右角部の位置や、左右両側部の上下方向略中央位置を含んでいる。
【００２６】
次に、水栓ヘッド１０の作用について説明する。
水栓１２に隣接する位置に設けられた図示しない操作部の操作により、通水路本体３０内の通水路３１を介して通水室３２内に湯水が供給され、２つの吐水部３３、３４のいずれかを介して吐水口２１から湯水が吐水される。操作部材４０が図２に示す第１位置にあるとき、吐水部３４が選択されて吐水口２１から直流水が吐水される。
【００２７】
吐水口２１からシャワー水を吐水させる場合には、付勢部材８０の付勢力に抗して、カバー部材２０の先端開口２２から露出している操作部材４０（押しボタン６０）をカバー部材２０の軸方向に押圧する。このとき、被係合溝５８内での係合部３６の前方移動が許容されることにより、操作部材４０（スライド部材５０）は、カバー部材２０の内部を後方へ移動して、ハートカム機構により第２位置で位置決めされる。
【００２８】
操作部材４０のうち押しボタン６０は、その外面が、カバー部材２０のすべての内周面においてスライド部材５０の外面よりカバー部材２０の内周面に近接した位置に配置されている。また、カバー部材２０の内周面と押しボタン６０の外面との間には所定のクリアランスが形成されている。そして、押しボタン６０の後端縁とスライド部材５０の当接部５３との間で位置決め状態とされたガイド部材７０には、押しボタン６０の外面から突出する複数の突起部７２が形成されている。そのため、操作部材４０が第１位置から第２位置に移動する際、操作部材４０がクリアランス内で径方向にずれたとしても、カバー部材２０の内周面にはガイド部材７０の突起部７２が当接し、押しボタン６０の外面とカバー部材２０の内周面との当接が抑制される。
【００２９】
吐水口２１から直流水を吐水させる場合には、先ほどと同様に操作部材４０（押しボタン６０）をカバー部材２０の軸方向に押圧する。このとき、操作部材４０（スライド部材５０）の通水路本体３０に対する位置決め状態が解除され、操作部材４０は第１位置へ移動する。操作部材４０が第２位置から第１位置へ移動する際にも、ガイド部材７０に形成された突起部７２により、押しボタン６０の外面とカバー部材２０の内周面との当接が抑制される。
【００３０】
次に、本実施形態の効果について記載する。
（１）水栓ヘッド１０の内部に設けられて吐水部３３、３４への吐水を切り替え操作する操作部材４０は、カバー部材２０の軸方向に移動可能に設けられて、カバー部材２０の先端開口２２からの突出量が大きい第１位置と突出量が小さい第２位置との間を移動可能とされている。カバー部材２０の内部には、操作部材４０とともに移動するガイド部材７０が設けられ、ガイド部材７０には、操作部材４０の外面より径方向外方に突出する突起部７２が形成されている。
【００３１】
そのため、操作部材４０がカバー部材２０の軸方向へ移動する際には、ガイド部材７０の突起部７２により、操作部材４０の外面がカバー部材２０の内周面と干渉することが抑制される。操作部材４０の外面への傷付きが抑制される。
【００３２】
（２）カバー部材２０及び操作部材４０の押しボタン６０は樹脂製であり、表面全体にメッキ加工が施されている。そのため、カバー部材２０や押しボタン６０のメッキの剥がれが抑制される。水栓ヘッド１０の外観形状を良好に保持することができる。
【００３３】
（３）突起部７２は、断面先細状に形成されている。そのため、突起部７２がカバー部材２０の内周面と当接した場合の当接面積が、断面先細状に形成されていない突起部７２の場合に比べて小さくなる。操作部材４０を操作する際のガイド部材７０の摺動抵抗が軽減し、操作部材４０の操作性を良好にすることができる。
【００３４】
（４）先細状に形成された突起部７２は、前後方向に延びるような態様で複数形成されている。つまり、突起部７２とカバー部材２０の内周面が当接した場合の当接部分は、ガイド部材７０の移動方向に沿うように線状に延びている。そのため、操作部材４０の操作時の摺動抵抗が軽減し、操作部材４０をスムーズに操作することができる。
【００３５】
（５）複数の突起部７２は、ガイド部材７０の径方向断面の中心Ｎを通って上下方向に延びる仮想線に対して対称となる位置に形成されている。そのため、操作部材４０の操作時のガタつきが抑制され、操作部材４０の操作性が良好となる。
【００３６】
（６）複数の突起部７２の形成位置は、ガイド部材７０の上面及び下面においてガイド部材７０の径方向断面の中心Ｎを通って上下方向に延びる仮想線上の位置や、ガイド部材７０上面の左右角部の位置や、ガイド部材７０の左右両側部の上下方向略中央位置を含んでいる。そのため、操作部材４０の移動時に、押しボタン６０が左右方向に傾いたり上下方向に傾いたりすることが抑制される。押しボタン６０の操作性が良好となる。
【００３７】
（７）操作部材４０はスライド部材５０と押しボタン６０を有しており、ガイド部材７０は操作部材４０と別体に形成されている。そのため、カバー部材２０の形状が異なる水栓ヘッド１０に対して同じスライド部材５０を組み付ける場合であっても、ガイド部材７０の形状をカバー部材２０の内周面形状に合わせるように変更すればよい。汎用性が高く、コスト的にも有利な水栓ヘッド１０が得られる。
【００３８】
（８）ガイド部材７０は、押しボタン６０の後端縁に当接する態様で押しボタン６０に組み付けられている。そのため、押しボタン６０がガタつきにくくその移動がスムーズとなる。押しボタンとカバー部材との干渉を好適に抑制することができる。
【００３９】
なお、本実施形態は、以下のように変更して実施することができる。本実施形態及び以下の変更例は、技術的に矛盾しない範囲で互いに組み合わせて実施することができる。
・先細状の突起部７２の形状は特に限定されない。前後方向に延びるような態様でなくてもよい。例えば、突起部７２におけるカバー部材２０のすべての断面が先細状とされた円錐形状、角錐形状であってもよい。この場合、カバー部材２０の内周面と点接触するため、操作部材４０操作時の摺動抵抗がより軽減される。
【００４０】
・突起部７２における縦断面のいずれかが先細状となっており、突起部７２の基端側の横断面より先端側の横断面の面積が小さくなっていてもよい。この場合も操作部材４０操作時の摺動抵抗を軽減させることができる。
【００４１】
・突起部７２は先細状でなくてもよい。
・突起部７２の突出長は、突起部７２の先端がカバー部材２０の内周面に当接するような長さとされていてもよい。つまり、突起部７２の先端がカバー部材２０の内周面に常時当接している長さとされていてもよい。この場合、操作部材４０操作時には、突起部７２の先端がカバー部材２０の内周面に常時当接しながら移動することになる。
【００４２】
・複数の突起部７２の形成位置は特に限定されない。ガイド部材７０の径方向断面の中心Ｎを通って上下方向に延びる仮想線に対して対称となる位置に形成されていなくてもよい。例えば、仮想線に対して右側及び左側のそれぞれに形成されていれば、操作部材４０の移動時のガタつきが抑制され操作部材４０の操作性が良好となる。また、ガイド部材７０の上面及び下面における前記仮想線上の位置のみに形成されていてもガタつきが抑制される。さらに、ガイド部材７０上側の左右の一対の角部の位置のみに形成されていてもガタつきが抑制される。
【００４３】
・突起部７２の形成個数は特に限定されない。1個であってもよく、複数個であってもよい。
・ガイド部材７０は、操作部材４０と別体に形成されていなくてもよい。例えば、押しボタン６０と一体に形成されていてもよく、スライド部材５０と一体に形成されていてもよい。また、スライド部材５０、押しボタン６０及びガイド部材７０が一体に形成されていてもよい。
【００４４】
・ガイド部材７０の形状は特に限定されない。例えば、係止部７３、７４のいずれかがなくてもよい。
・操作部材４０は、スライド部材５０と押しボタン６０を有していなくてもよい。スライド部材５０の先端が押しボタンの機能を有していてもよい。
【００４５】
・カバー部材２０及び押しボタン６０にメッキ加工が施されていなくてもよい。
・操作部材４０は、第１位置及び第２位置において、カバー部材２０の先端開口２２から突出していなくてもよい。例えば、カバー部材２０の先端開口２２と押しボタン６０の押圧部６１が同じ位置にある第１位置と、押圧部６１がカバー部材２０の内方にある第２位置との間で移動可能とされていてもよい。また、第１位置及び第２位置のいずれにおいても押圧部６１がカバー部材２０の内方にあってもよい。
【００４６】
・水栓ヘッド１０は、直流水とシャワー水とを切り替えるものに限らない。例えば、通水状態と止水状態とを切り替えるものであってもよく、原水と浄水等の精製水とを切り替えるものであってもよい。
【００４７】
・水栓ヘッド１０の内部構造は、上記実施形態のものに限定されず、公知の内部構造を適宜適用することができる。
・カバー部材２０、押しボタン６０の形状は上記実施形態のものに限定されない。例えば、カバー部材２０が略円筒形状であり、押しボタン６０が有底の略円筒形状であってもよい。
【００４８】
次に、上記実施形態及び変更例から把握できる技術的思想を以下に記載する。
（イ）前記ガイド部材の前記突起部は複数設けられ、前記複数の突起部は、前記ガイド部材の径方向断面の中心を通って上下方向に延びる仮想線に対して対称となる位置に形成されている前記水栓ヘッド。
【００４９】
（ロ）前記複数の突起部は、前記ガイド部材の上面及び下面における前記仮想線上、前記ガイド部材の上面の左右角部、及び前記ガイド部材の左右両側部の上下方向略中央を含む少なくともいずれかの位置に形成されている前記水栓ヘッド。
【符号の説明】
【００５０】
１０…水栓ヘッド、２０…カバー部材、２１…吐水口、２２…先端側開口、３０…通水路本体、３３、３４…吐水部、４０…操作部材、５０…スライド部材（操作部材）、６０…押しボタン（操作部材）、７０…ガイド部材、７２…突起部、８０…付勢部材。
【図１】
2020045657.tif 000003
【図２】
2020045657.tif 000004
【図３】
2020045657.tif 000005
【図４】
2020045657.tif 000006
【図５】
2020045657.tif 000007